(57)【特許請求の範囲】
【請求項１】
横通穴（１１）を有する浮き（１）の下部に、複数の分銅錘（３）を着脱自由に取り付ける為の雄ネジ部を有するボルト（２）を設け、ボルト（２）に螺合する雌ネジ部を設けた基錘（４）をボルト（２）に取り付け、浮き本体（１）の外部に道糸（A）方向に垂直に基錘(4)を突出させ、その基錘（４）に周溝（４１）を設け、ひも状の紛失止め（５）を溝に沿って空回りできるように巻きつけ、その片側を浮き下部の任意の場所に穴を開け差込固定し、浮き（１）と基錘(４)を繋いだ投げ縄式の紛失止め（５）を設けたことを特徴とするつり用浮き。
【発明の詳細な説明】
【技術分野】
【０００１】
本発明はつり用浮きに関し、更に詳しくは、横通穴浮きの基錘突出により潮の流れの抵抗を増すと共に、錘調整機能と基錘紛失止めを有するつり用浮きに関する。
【背景技術】
【０００２】
従来の浮きは、浮きで魚の当たりを取るために、浮きに掛かる潮の抵抗を少なくして、魚の当たりに敏感に反応するものが主体である。したがって、浮きの調整錘は内部に納めて
、浮きの表面に掛かる潮による抵抗を、極力なくしたものが主流である。
【０００３】
また横通穴を持ち錘調整機能を持つ浮きの発明の中で、磯釣り多用途浮きの特開願２００２−２０９４８８号の考案で、１組の軟質軽量キャップと夫々重量の異なる三組のロット式重量キャップとで雄ネジを形成し、浮子雌ネジ部に適宜螺合一体化する浮きが発案されているが、この四組のキャップが夫々用途が制限され専用キャップとなっている。
【０００４】
【特許文献１】特開２００２−２０９４８８号公報
【発明の開示】
【発明が解決しようとする課題】
【０００５】
海面に漂う道糸は、風の影響や表層を流れる潮の影響を受ける（図3参照）。表層にある
道糸が風の影響で膨らみ浮きを引っ張る。そのため同調していた仕掛けが浮き上がり、マキエや潮の流れから外れて釣りにならない。また上の流れと下の流れが、それぞれ違った方向に流れる二枚潮（図4参照）で、表層にある浮きや道糸が、上潮の影響を受けて下を流れる本当の潮とは違った方向に流れるため、仕掛けと付け餌が浮いてしまい、魚のいる下潮の流れに仕掛けが入りずらい。その上、抵抗の少ないマキエは下潮まで落ちて流れる為、マキエと同調しなくなり釣りにならないことがある。
【０００６】
上に述べた従来の磯釣り多用途浮きについて、専用キャップが多すぎて多用途浮きを使いこなすのに釣りが複雑になりすぎた観がある。だから、潮の変化に仕掛を合わせるため
に釣りの最中キャップ高官も頻繁になる。それで、キャップの締め具合が緩いと、釣りの途中で岩に当たったりしていつの間にか無くなったりする。また、キャップの取り付けや
取り外しの際に、手元が狂って落下し海の中、と言ったことも起こっている。したがって
、専用キャップが多いためその代用品もたくさん必要である。
【０００７】
上記したように従来の釣りは、浮きの変化で当たりを取る釣りである。そのため、浮きの外部に掛かる潮の抵抗を、極力なくした浮きが主流である。本発明は、沈め釣りに関するもので、浮きを沈めて水中浮きの役目をさせて、仕掛けを引っ張らせていく釣りである。したがって、浮きは沈んで見えなくなる。浮きを沈めていく釣りで非常に大事で重要なことがある。うきを
仕掛けの張りを作ることである。自然と仕掛けが引っ張られ、道糸に張りが生まれて魚の当たりが直接手元にくる形状の浮きが必要である。
【０００８】
本発明は、上記の問題を解決しようとするものであり、浮き構造の簡素化と、分銅錘による浮きの微調整と、潮を捉え同調しやすい形状の浮きと、基錘の投げ縄式紛失止めなどで解決することを目的としている。
【課題を解決するための手段】
【０００９】
横通穴を有する浮きの下部に、複数の分銅錘を着脱自由に取り付ける為の雄ネジ部を有するボルトを設け、ボルトに螺合する雌ネジ部を設けた基錘をボルトに取り付け、浮き本体の外部に道糸方向に垂直に基錘を突出させ、その基錘に周溝を設け、ひも状の紛失止めを溝に沿って空回りできるように巻きつけ、その片側を浮き下部の任意の場所に穴を開け差込固定し、浮きと基錘を繋いだ投げ縄式の紛失止めを設けたことを特徴とするつり用浮き。
【００１０】
上記の課題解決する手段の作用は次の通りである。本発明は、浮きをマキエの沈下速度に合わせて分銅錘で微調整をして浮きを沈めて、そして、潮の抵抗で水中浮きの役目をさせて仕掛けを引っ張らせる釣りである。そこで、浮きが見えないために、浮きを見て当たりを取るのでなく、魚の引きが道糸の張りを伝って直接手元に来ることで、当たりを体で感じ取る事が出来る釣りである。そこで、沈め釣りで魚の当たりを取るには、仕掛けの張りが非常に重要である。その大切な張りは、浮きが潮の抵抗を受けて流れに乗って同調して、仕掛けを引っ張り始めたときに生じるものである。この張りを生じさせるには、潮の抵抗を多く受けて潮の流れと同調しやすく、潮の流れから外れ難い形状の浮きが必要である。よって、浮きの基錘部分を突出させて、浮きの外部に潮を受ける部分を増やし、従来の浮きより潮の抵抗を多くした。
【００１１】
さらに、基錘は浅場用と深場用を用意して、普通は浅場用を使用する。浮きは分銅錘でマキエの沈下速度に合わせて微調整して沈める。浅場用は仕掛けが軽いため道糸が長くなるに従い、糸の浮力抵抗が大きくなり、ある深さになれば次第に浮きの沈下速度が遅くなる。そのため、水深7〜８ｍあたりで仕掛けが遅くなりマキエと同調しなくなる。そこで、分銅錘で調整をするが、15ｍ以上の深さになれば深場用基錘と交換して、紛失止めで繋ぎ、重い仕掛けで調整をして沈めていく。また、急な流れの時にも、仕掛けが潮の流れに負けて浮き上がるため、同様に深場用と交換して調整する投げ縄式の紛失止めで、浅場用から深場用に繋ぎ換えられるため、紛失する事もなく一個の浮きで表層から深場までの釣りが楽しめる。
【発明の効果】
【００１２】
１、横通穴浮きに基錘の突出部を設けて、潮を受ける部分を増やしたことで、従来の浮きよりも潮の抵抗を多く受けて、流れに乗り潮を捉えて一段と同調しやすい。また、浮きの重心も低くなりふらつきが少ない。したがって、潮のりが良くなり浮きが潮と同調して仕掛けを引っ張り、道糸の張りが強くなり魚のわずかな当たりも敏感に手元に伝わりやすい。その上、道糸が引っ張られて沈むため、風や二枚潮の影響も受けにくい。
【００１３】
２、簡単な操作で、横通穴浮きをマキエの沈下速度に合わせるために、浮き下部のボルトに分銅錘を着脱自由に取り付けて、浮きの浮力を微調整することが出来る。したがって、浮きと仕掛けが潮の流れに乗りやすく、潮を捉えマキエとも同調しやすい効果が生まれた。さらに、浮きの錘調整が可能なため、一個の浮きでいろんな潮の変化に対応ができて、今までのような手間も時間もかからない。
【００１４】
３、基錘に周溝を設け浮きと基錘を繋いで基錘の紛失を防止した。また空回りするようにしたことで、基錘をボルトに取り付ける際、紛失止めが基錘に絡まない、釣りの最中に基錘が緩み紛失といった事があるが、それも防げる。その上、ひも状の紛失止めは投げ縄式で、紐を緩めて他の基錘と交換できる。
【発明を実施するための最良の形態】
【００１５】
以下、本発明の実態の形態を図1〜５に基づいて説明する
【００１６】
（図１参照）道糸Ａを通す横通穴１１を有する浮き１の下部に、雄ネジ部を有するボルト２を設け、浮き１からボルト２を突出させる。分銅錘３は浮き微調整のため、ボルト２に着脱できるようにした。分銅錘３で浮きの微調整をして、雌ネジ部を有した基錘４をボルト２に螺合し取り付け着錘４を突出させたことによって、従来の浮きより潮の抵抗を多く受ける形状（図２参照）にした。したがって、潮の流れを捉えやすくなり、仕掛けの張りが強まって手元に来る魚の当たりが分かりやすい。また、基錘４には紛失防止のため周溝４１を設け、ひも状の紛失止めを溝４１に付け、浮き１下部の任意の場所に、固定し、浮き１と基錘４を繋いだものである。また他の基錘と交換できる。
【００１７】
（図５参照）浮き１と基錘４を紛失止め５で繋ぎとめる。それから、浮き１と釣り針との間に浮き止めをつけて、浮きより上部に何もつけず仕掛けを遊動にする。そのあと、分銅錘３でマキエの沈下速度に合わせ、浮きを微調整し基錘４を取り付け沈めてゆく。次第に、浮き１が上潮を突破して下潮の流れに入ってゆく。そこで、浮き１と基錘４の突出部に潮の抵抗を受けて、潮の流れとマキエとに同調しながら仕掛けを引っ張り始める。そのため、表層にある道糸Ａにも張りが生まれて、次第に引っ張られ沈み始める。よって、風（図３参照）や二枚潮（図４参照）の影響も受けにくい。このようにして、仕掛けの張りで魚の当たりが直接手元に伝わる。
【図面の簡単な説明】
【００１８】
【図１】浮きをパート別に分けた図。
【図２】浮きに掛かる潮の抵抗の図。
【図３】風の影響を受ける図。
【図４】二枚潮の図
【図５】沈め釣りの図
【符号の説明】
【００１９】
１、  浮き
１１  横通穴
２、  ボルト
３、  分銅錘
４、  基錘
４１、周溝
５、  紛失止め（投げ縄式）
Ａ、  道糸
【図１】
0004320759.tif 000002
【図２】
0004320759.tif 000003
【図３】
0004320759.tif 000004
【図４】
0004320759.tif 000005
【図５】
0004320759.tif 000006